(57)【特許請求の範囲】
【請求項１】
グランド上に多数の中詰め材を収容する中詰め用カゴ体であって、
板状体に所定の穴が形成されていると共に、両端に膨出部が形成された複数の鋳鉄製の隔壁と、
前記グランド上の所定箇所に立設固定される座面を有し、２枚の側板を離間させて並設し、上方が開口した係合保持部が交叉する中央側から異なる方向に延設されていると共に、前記２枚の側板の内壁には各隔壁の板厚に相当する間隙を形成して対向配置された係止部が突設されたターミナル治具と、から成り、
前記隔壁を前記係合保持部の開口から差し込み中央側の係止部に前記隔壁の膨出部を係止し、各隔壁の端部が立設状態に係合保持されていることを特徴とする中詰め用カゴ体。
【請求項２】
前記係合保持部には所定箇所を横方向に貫通する係止穴が形成され、前記隔壁に形成された所定の穴を利用して係合保持部と隔壁を一体化することを特徴とする請求項１に記載の中詰め用カゴ体。
【請求項３】
係合保持部の座面には係止穴が形成されており、該係止穴と予めグランド上に敷設される底ネットと前記係止穴をワイヤで係止し、該底ネット上に前記ターミナル治具を固定することを特徴とする請求項１に記載の中詰め用カゴ体。
【発明の詳細な説明】
【０００１】
【発明の属する利用分野】
本発明は、河川等の法面上もしくは河床に多数の石やその他の中詰め材を収容する中詰め用カゴ体に関する。
【０００２】
【従来の技術】
従来より、河川等の法面上もしくは河床に多数の石を収容する石詰め用カゴ体及びその施工方法として、特公平４−１０９２４号公報並びに特公平８−１６３２３号公報が提案されている。
【０００３】
前者の石詰め用カゴ体は、基礎工事面上に所定幅のロール状網体を巻き戻しながら広げて所定長さに切断敷設して底面とし、外周が枠体によって保護される網体を構成して仕切用自立網体を適宜な所定間隔に立設、設置することにより縦側面、横側面とし、これら各面を構成する部材を結線によって連結することにより構成されている。
【０００４】
また、後者のカゴ体は、複数の石詰め領域に跨る広さの底面網と、一つの領域に対応する長さで向きの異なる複数の仕切網を一体に連接することにより、予め自立可能に構成され、底面網上に立設して石詰め領域を区画、形成する仕切網連結体と、複数の石詰め領域に跨る広さの上面網とで構成され、全体が格子状に並ぶように配置して、各仕切網連結体を底面網及び隣接する他の仕切網連結体に針金等の連結手段を用いて順次連結する方法により構成される。
【０００５】
【発明が解決しようとする課題】
このような従来の石詰め用カゴ体は、両者とも全て網体から石詰め用カゴ体が構成されている。すなわち、この種のカゴ体は、全て柔軟な可撓性を有する網体で構成されていることから、矩形に形成された枠体に網体を針金などで固定してパネル状の縦、横側面の仕切網を形成したのち、これら各縦、横側面の仕切網を底網上に全体が格子状に並ぶように配置して、底網に針金などの連結手段を用いて順次連結し、さらに隣接する縦横の仕切網を針金など用いて連結して敷設現場において一体的なカゴ体を構成している。
【０００６】
次に複数のカゴ体内に自然石の石が詰められると、その上面が複数の石詰め領域に跨る広さの上面網で閉塞され、針金などの連結手段によって固定される。
【０００７】
従って、従来のカゴ体は、針金などを使用して連結される連結部が複数箇所に存在するため結線作業に多大な手間がかかり、延いては石詰め用カゴ体の施工に多くの施工工数がかかる問題を有していた。
【０００８】
本発明は、このような問題点に着目してなされたもので、敷設現場においてカゴ体を区画形成する施工が極めて容易で、グランド上に剛性を持たせた状態で確実に固定することができる中詰め用カゴ体を提供することを目的とする。
【０００９】
【課題を解決するための手段】
前記目的を達成するために、請求項１の発明に係る中詰め用カゴ体は、グランド上に多数の中詰め材を収容する中詰め用カゴ体であって、
板状体に所定の穴が形成されていると共に、両端に膨出部が形成された複数の鋳鉄製の隔壁と、
前記グランド上の所定箇所に立設固定される座面を有し、２枚の側板を離間させて並設し、上方が開口した係合保持部が交叉する中央側から異なる方向に延設されていると共に、前記２枚の側板の内壁には各隔壁の板厚に相当する間隙を形成して対向配置された係止部が突設されたターミナル治具と、から成り、
前記隔壁を前記係合保持部の開口から差し込み中央側の係止部に前記隔壁の膨出部を係止し、各隔壁の端部が立設状態に係合保持されていることを特徴とする。
この特徴によれば、座面により安定状態でターミナル治具が立設されると、該ターミナル治具の異なる方向に延設された係合保持部に隔壁の端部が連続的に係合されると、剛性を有する隔壁が異なる方向に立設状態で保持されて複数の区画部を構成することができる。
【００１０】
請求項１の発明によれば、座面により安定状態でターミナル治具が立設されると、該ターミナル治具の異なる方向に延設された係合保持部に隔壁の端部が連続的に係合されると、剛性を有する隔壁が異なる方向に立設状態で保持されて複数の区画部を構成することができる。
【００１１】
また、延設される係合保持部上方の開口より隔壁が差し込まれると、隔壁の両側が２枚の側板に挟持されるので、安定状態で立設保持することができる。
【００１２】
更に、２枚の側板の内側に挟持された隔壁両端の膨出部が係止部に係止されるので、隔壁の長手方向の動きを拘束することができる。
【００１３】
請求項２の発明は、請求項１において、係合保持部には、所定箇所を横方向に貫通する係止穴が形成され、前記隔壁に形成された所定の穴を利用して係合保持部と隔壁を一体化することを特徴とする。
【００１４】
請求項２の発明によれば、係合保持部に係合された隔壁は、係合保持部の係止穴を介して挿通可能な部材（例えばボルト）を隔壁の所定の穴に挿通保持させるだけで、係合保持部と隔壁を一体化することができる。
【００１５】
請求項３の発明は、請求項１において、係合保持部の座面には係止穴が形成されており、該係止穴と予めグランド上に敷設される底ネットと前記係止穴をワイヤで係止し、該底ネット上に前記ターミナル治具を固定することを特徴とする。
【００１６】
請求項３の発明によれば、ターミナル治具の座面に係止穴を有しているので、グランド上に敷設された底ネット体の所望位置にワイヤーを使用して選択的に確実に固定することができる。特に、ターミナル治具がグランド上の底ネット体と一体的に立設保持されるので、複数の隔壁が安定した状態で立設保持され、底ネット体とともに剛性を有するカゴ体を構成することができる。
【００１７】
【発明の実施の形態】
以下に、添付図面を参照して本発明の実施形態について説明する。最初に本発明の中詰め用カゴ体、及びターミナル治具の第１実施形態につき説明する。図１の（ａ）は本発明のターミナル治具を使用してグランド上に区画形成された複数の中詰め用カゴ体の斜視図、図１の（ｂ）はグランド上に区画形成された複数の中詰め用カゴ体内に自然石等の石が収納された状態の斜視図、図２は本発明の第１実施形態としてのターミナル治具の斜視図、図３の（ａ）は本発明の第１実施形態としてのターミナル治具の平面図、（ｂ）はターミナル治具と組合せてカゴ体の端部を構成する補助ターミナル治具の平面図であり、図４はターミナル治具の係合保持部に隔壁が上方から差し込まれる状態を示す部分斜視図である。
【００１８】
図１の（ａ）、（ｂ）に示されるように、１は複数の石やその他の中詰め材を収容する各中詰め用カゴ体１ａ（以下カゴ体と称する）から成るカゴ体集合体であり、カゴ体集合体１は、例えば河川等の法面（グランド）上もしくは河床の所定領域に敷設される。
【００１９】
そして、カゴ体１ａは、図３の（ａ）、（ｂ）に示されるように、挿通穴Ｈが形成された複数の鋳鉄製の板状隔壁５ａ、５ｂ、６ａ、６ｂと、グランド上の所定箇所に立設固定される座面１２を有し、各隔壁５ａ、５ｂ、６ａ、６ｂの端部を立設可能な係合保持させる係合保持部８が互いに交叉する方向に延設されたターミナル治具３と、グランド上の所定箇所に立設固定される座面１５を有し、各隔壁５ａ、５ｂ、６ａの端部を立設可能な係合保持すべく直線方向と該直線方向の片側より直交する３方向に延設される係合保持部１６を有する補助ターミナル治具４とで構成されている。
【００２０】
次に第１の実施形態としてのターミナル治具につき説明する。図２及び図３の（ａ）に示されるように、ターミナル治具３は、鋳鉄により一体形成されており、各隔壁５ａ、５ｂ、６ａ、６ｂの端部を立設状態に係合保持する係合保持部８が互いに交叉して平面視十字形に形成され、それぞれの係合保持部８は、上方が開口するよう所定高さの２枚の側板８ａ、８ｂが所定間隔離間して並設された有底状に形成されている。
【００２１】
そして、各係合保持部８の２枚の側板８ａ、８ｂの内側には交叉する中央側と各突出する先端に係止部１０ａ、１０ｂが突設され、これら係止部１０ａ、１０ｂは、上方開口から差し込まれる各隔壁５ａ、５ｂ、６ａ、６ｂの板厚に相当する間隙が形成されるように、それぞれが側板８ａ、８ｂの内壁に対向配置されると共に、２枚の側板８ａ、８ｂには四隅を横方向に貫通する係止穴１１が形成され、係合保持部８の交叉部下面にはワイヤー１４等を通して底ネット体２に係止すべく係止部としての係止穴１３を形成した円板状の座面１２が形成されている。
【００２２】
次に、隔壁５ａ、５ｂ、６ａ、６ｂは、鋳鉄製の矩形状板材であって、所定箇所には角形の複数の挿通穴Ｈが形成されて格子状に配置されており、長手方向両端には板厚部を膨出した膨出部５ｃ、６ｃが高さ方向に形成されている。
【００２３】
次に、ターミナル治具と組合せてカゴ体の端部を構成する補助ターミナル治具につき説明する。尚、前述したターミナル治具の構成部分と同一構成部分については同一符号を付し、詳細な説明を省略する。
【００２４】
図３の（ｂ）に示されるように、補助ターミナル治具４は、鋳鉄により一体形成され、直線方向と該直線方向の片側より直交する３方向に延設して平面視Ｔ字状の係合保持部１６を有し、これらの交叉部低面には円板状の座面１５が形成されている。
【００２５】
各係合保持部１６は、上方が開口するよう所定高さの２枚の側板１６ａ、１６ｂが所定間隔離間して並設された有底状に形成され、各係合保持部１６の２枚の側板１６ａ、１６ｂの内側には、交叉する中央側と各突出する先端に係止部１０ａ、１０ｂが突設されている。
【００２６】
このように構成された本実施形態のターミナル治具及び補助ターミナル治具と隔壁の組立手順につき説明する。すなわち、図１の（ａ）に示されるように、河川などの法面としてのグランド上に底ネット体２が所定領域に亘って敷設されると、その上のレイアウトされた所定箇所にそれぞれターミナル治具が設置される。
【００２７】
この設置に際し、区画配置されるレイアウトに基づいて各隔壁５ａ、５ｂ、６ａ、６ｂの端部の地点がグランド上の底ネット体２上面に設定されると、その各設定地点にターミナル治具３及び補助ターミナル治具４が敷設された底ネット体２上面に各座面１２及び１５を介して立設配置される。
【００２８】
所定位置に立設配置されたターミナル治具３及び補助ターミナル治具４は、座面１２及び１５に形成された係止穴１３と底ネット体２にワイヤー１４を通してそれぞれ係止して立設状態でしっかりと固定される。
【００２９】
次に、ターミナル治具３及び補助ターミナル治具４の異なる方向（４方向または３方向）に延設されている各係合保持部８及び１６の２枚の側板８ａ、８ｂの開口する上方からそれぞれ４枚の隔壁５ａ、５ｂ、６ａ、６ｂまたは３枚の隔壁５ａ、５ｂ、６ａの端部が差込まれる。
【００３０】
この差込みにより、４枚の隔壁５ａ、５ｂ、６ａ、６ｂまたは３枚の隔壁５ａ、５ｂ、６ａの端部の膨出部５ｃは、係合保持部８及び１６の中央側の係止部１０ａによって形成される領域内で各隔壁の膨出部どうしが当接しあって動きが拘束され、同時に膨出部５ｃから若干離間した隔壁の内側部位の板厚部も先端側の係止部１０ｂに係止され、立設した状態で保持される。
【００３１】
このようにして、２枚の側板８ａ、８ｂまたは１６ａ、１６ｂの内側に挟持された隔壁５ａ、５ｂ、６ａ、６ｂ両端の膨出部５ｃ、６ｃが係止部１０ａに係止されるので、隔壁５ａ、５ｂ、６ａ、６ｂまたは隔壁５ａ、５ｂ、６ａの長手方向の動きを拘束することができる。
【００３２】
さらに、ターミナル治具３、４の延設される係合保持部８、１６が、上方が開口した２枚の側板により構成されているので、各係合保持部８、１６上方の開口より差し込まれた隔壁５ａ、５ｂ、６ａ、６ｂまたは隔壁５ａ、５ｂ、６ａの端部は、その両側面が２枚の側板８ａ、８ｂ及び１６ａ、１６ｂに挟持されるので、安定状態で立設保持することができる。
【００３３】
従って、ターミナル治具３、４は、座面１２、１５により安定状態で立設され、異なる方向に係合保持部８、１６が延設されているので、各隔壁５ａ、５ｂ、６ａ、６ｂまたは隔壁５ａ、５ｂ、６ａの端部をターミナル治具３、４の係合保持部８、１６にそれぞれ係合することにより各隔壁５ａ、５ｂ、６ａ、６ｂまたは隔壁５ａ、５ｂ、６ａが異なる方向に連続的に立設状態に保持されて複数の格子状の区画部を構成することができる。
【００３４】
次に、各ターミナル治具３及び補助ターミナル治具４の係合保持部８及び１６に隔壁５ａ、５ｂ、６ａ、６ｂまたは隔壁５ａ、５ｂ、６ａの端部が上方の開口から差し込まれて係合されると、係合保持部８及び１６の係止穴１１に隔壁端部の所定の挿通穴Ｈ又は係止穴５ｄが一致し、そこにボルト９を挿通してナット等で締結することにより、隔壁５ａ、５ｂ、６ａ、６ｂの端部の上方への移動が拘束された状態で固定される。
【００３５】
このように、係合保持部８、１６には横方向に貫通する係止穴１１が形成されているので、ターミナル治具３、４の各係合保持部８、１６に係合された各隔壁５ａ、５ｂ、６ａ、６ｂは、係合保持部８、１６の係止穴１１よりボルト９を隔壁５ａ、５ｂ、６ａ、６ｂの所定の挿通穴Ｈ又は係止穴５ｄに挿通保持させるだけで、係合保持部８、１６と隔壁５ａ、５ｂ、６ａ、６ｂまたは隔壁５ａ、５ｂ、６ａを一体化することができる。
【００３６】
そして、座面１２又は１５により安定状態で立設されたターミナル治具３、４の直交する方向に延設された係合保持部８、１６に剛性を有する鋳鉄製の隔壁５ａ、５ｂ、６ａ、６ｂまたは隔壁５ａ、５ｂ、６ａの端部が異なる方向から連続的に立設状態で保持されて係合されると、隔壁５ａ、５ｂ、６ａ、６ｂまたは隔壁５ａ、５ｂ、６ａの各係合部であるターミナル治具３及び補助ターミナル治具４では剛性が得られ、順次隔壁５ａ、５ｂ、６ａ、６ｂの端部を係合させることにより複数の区画部が構成され、これによって複数の中詰め用カゴ体１ａを構成することができる。
【００３７】
次に、ターミナル治具の第２実施形態につき説明する。図５は第２実施形態としてのターミナル治具の斜視図、図６はターミナル治具の係合保持部に隔壁が上方から差し込まれる状態を示す部分斜視図、図７は本発明の第２実施形態としてのターミナル治具の平面図であり、図８の（ａ）、（ｂ）はターミナル治具と組合せてカゴ体の端部を構成する勝手違いの補助ターミナル治具の平面図である。尚、前記実施形態の構成部分と同一構成部分については同一符号を付し詳細な説明を省略する。
【００３８】
本実施形態のターミナル治具は、３つの係合保持部を１２０°の等角度で配置したもので、隔壁の端部をそれぞれ係合することにより６角形のカゴ体を構成する際に使用されるものである。
【００３９】
すなわち、本実施形態のターミナル治具１７は、係合保持部１８が平面視１２０°の等角度で配置されており、係合保持部１８は、上方が開口するよう所定高さの２枚の側板１８ａ、１８ｂが所定間隔離間して並設された有底状に形成されている。
【００４０】
各係合保持部１８を構成する２枚の側板１８ａ、１８ｂの内側には交叉する中央側と各突出する先端に係止部１０ａ、１０ｂが突設され、これら係止部１０ａ、１０ｂは、上方開口から差し込まれる各隔壁２０、２１、２２の板厚に相当する間隙が形成されるように、それぞれが側板１８ａ、１８ｂの内壁に対向配置され、２枚の側板１８ａ、１８ｂには四隅を横方向に貫通する係止穴１１が形成され、係合保持部８の交叉部下面には円板状の座面１２が形成されている。
【００４１】
一方、本実施形態のターミナル治具１７は、カゴ体の端部を構成するためにこのターミナル治具１７と組合せて勝手違いの補助ターミナル治具２３、２８が使用されている。
【００４２】
すなわち、右勝手の補助ターミナル治具２３は、図８の（ａ）に示されるように直線方向に延設される係合保持部２４、２４と、この直線方向に対し右方向に６０°の傾斜で延設配置された係合保持部２４ａとで構成されている。
【００４３】
また、左勝手の補助ターミナル治具２８は、図８の（ｂ）に示されるように直線方向に延設される２枚の側板２４ｃ、２４ｄから成る係合保持部２４、２４と、この直線方向に対し左方向に６０°の傾斜で延設配置された２枚の側板２４ｃ、２４ｄから成る係合保持部２４ｂとで構成されている。
【００４４】
尚、本実施形態のターミナル治具及びターミナル治具の他の構成は、第１実施形態におけるターミナル治具３または４と同一構成となり、同一作用、効果を有するため、その説明を省略する。
【００４５】
次に、本発明の中詰め用カゴ体の施工方法につき図１の（ａ）、（ｂ）、図５、図６及び図７を参照して説明する。
【００４６】
先ず、鋳鉄等で形成された所定の強度を有し、矩形の板材に多数の角孔が形成された隔壁５ａ、５ｂ、６ａ、６ｂと、これら複数の隔壁５ａ、５ｂ、６ａ、６ｂの端部を係止して立設保持可能なターミナル治具３、４が予め準備される。
【００４７】
次に、所定グランド上に敷設すべく領域が設定されると、その領域全体に底ネット体２が敷設され、その領域内に隔壁５ａ、５ｂ、６ａ、６ｂの区画配置（ 例えば格子状区画）がレイアウトされる。
【００４８】
このレイアウトに基づいて、隔壁５ａ、５ｂ、６ａ、６ｂの各端部が係合して接続される各地点にターミナル治具３及び補助ターミナル治具４が敷設された底ネット体２上に各座面１２及び１５に支持されて立設状態で配置される。
【００４９】
なお、本実施形態ではターミナル治具３及び補助ターミナル治具４は所定位置に予め配置される例について述べたが、所望の位置に例えば１枚の隔壁５ａの両端にターミナル治具３または補助ターミナル治具４を係合させて１枚づつ立設状態で設置させて、これに次の隔壁５ｂの角度を変えるか、または直線状に順次係合させて連設する方法でカゴ体１ａの一部を構成しても良い。
【００５０】
ここで、ターミナル治具３及び補助ターミナル治具４の設置位置について説明すると、ターミナル治具３は、区画が形成される領域の内部に設置され、補助ターミナル治具４は、区画が形成される領域の端部に設置されるものである。
【００５１】
このようにして所定位置に立設配置されたターミナル治具３及び補助ターミナル治具４は、座面１２及び１５に形成された係止部としての係止穴１３と底ネット体２にワイヤー１４を通してそれぞれ係止してしっかりと固定される。
【００５２】
そして、ターミナル治具３及び補助ターミナル治具４の各係合保持部８及び１６の２枚の側板８ａ、８ｂ及び１６ａ、１６ｂの開口する上方から、それぞれ隔壁５ａ、５ｂ、６ａ、６ｂの端部が差込まれる。
【００５３】
このようにすることにより、ターミナル治具３、４の座面１２、１５に係止穴１３を有しているので、グランド上に敷設された底ネット体２の所望位置にワイヤー１４を使用して選択的に確実に固定することができる。
【００５４】
従って、ターミナル治具３、４がグランド上の底ネット体２と一体的に立設保持されるので、複数の隔壁５ａ、５ｂ、６ａ、６ｂが安定した状態で立設保持され、底ネット体２とともに剛性を有するカゴ体１ａを構成することができる。
【００５５】
より具体的には、各ターミナル治具３及び補助ターミナル治具４の各係合保持部８及び１６に隔壁５ａ、５ｂ、６ａ、６ｂ端部が差し込まれると、各隔壁５ａ、５ｂ、６ａ、６ｂ端部の膨出部５ｃは、各ターミナル治具３及び補助ターミナル治具４の４方向または３方向に延設される係合保持部８及び１６内壁の交叉する中央側の係止部１０ａに差し込まれ、同時に膨出部５ｃから若干離間した隔壁の内側部位の板厚部も先端側の係止部１０ｂに係止される。
【００５６】
このようにして、各ターミナル治具３及び補助ターミナル治具４の係合保持部８及び１６に隔壁５ａ、５ｂ、６ａ、６ｂまたは隔壁５ａ、５ｂ、６ａの端部が上方の開口から差し込まれて係合されると、係合保持部８及び１６の係止穴１１に隔壁端部の所定の挿通穴Ｈ又は係止穴５ｄが一致し、そこにボルト９を挿通してナット等で締結することにより、隔壁５ａ、５ｂ、６ａ、６ｂの端部の上方への移動が拘束された状態で固定される。
【００５７】
そして、各隔壁５ａ、５ｂ、６ａ、６ｂまたは各隔壁５ａ、５ｂ、６ａが所定箇所に配置されるターミナル治具３、４に連続的に係合保持されることにより底ネット体２上に立設状態でワイヤなどにより係止して固定保持され、複数のカゴ体１ａを格子状に集合したカゴ体１ａによってカゴ体集合体１が構成される。
【００５８】
このようにカゴ体集合体１が構成されたとき、各ターミナル治具３、４が隔壁によって四方、または三方から連結して組み合わされるのでカゴ体に剛性が得られる。
【００５９】
このようにして、予め用意された所定の強度を有する多数の孔が形成された複数の隔壁５ａ、５ｂ、６ａ、６ｂが複数のターミナル治具３、４に係合されると、立設された複数の隔壁５ａ、５ｂ、６ａ、６ｂによって複数のカゴ体１ａが構成されるので、敷設現場においてカゴ体１ａを区画形成する施工が極めて容易で、河川などの法面（グランド）上もしくは河床の所定領域に剛性を持たせた状態で確実に固定することができる。
【００６０】
複数のカゴ体１ａが構成されると、図１の（ｂ）に示されるように、これらのカゴ体１ａ内に多数の自然石などの石材９が収容され、その上面にネットが敷設されて例えば隔壁やターミナル治具にワイヤーなどで固定される。
【００６１】
尚、カゴ体集合体１の内部には、多数の自然石などの石材９以外に木炭や多孔性材等から成る水質浄化材などの塊を収納することも可能であり、これを河床などに敷設することにより、これら水質浄化材に河川水中内の有機物が有効に取り込まれ水質の浄化を行うことができる。
【００６２】
以上、本発明の実施形態を図面によって説明してきたが、具体的な構成はこれら実施形態に限られるものではなく、本発明の要旨を逸脱しない範囲における変更や追加があっても本発明に含まれる。例えば、前述した実施形態では隔壁を立設状態で保持するために隔壁両面がターミナル治具の係止部により挟持される構成としたが、隔壁を立設保持し得る構造であればどのような構成であっても良い。
【００６３】
【発明の効果】
本発明は次の効果を奏する。
【００６４】
請求項１の発明によれば、座面により安定状態でターミナル治具が立設されると、該ターミナル治具の異なる方向に延設された係合保持部に隔壁の端部が連続的に係合されると、剛性を有する隔壁が異なる方向に立設状態で保持されて複数の区画部を構成することができる。
【００６５】
また、ターミナル治具は、座面により安定状態で立設され、異なる方向に係合保持部が延設されているので、隔壁の端部をターミナル治具の係合保持部に係合することにより隔壁が異なる方向に連続的に立設状態で保持されて複数の区画部を構成することができる。
【００６６】
また、延設される係合保持部上方の開口より隔壁が差し込まれると、隔壁の両側が２枚の側板に挟持されるので、安定状態で立設保持することができる。
【００６７】
更に、２枚の側板の内側に挟持された隔壁両端の膨出部が係止部に係止されるので、隔壁の長手方向の動きを拘束することができる。
【００６８】
請求項２の発明によれば、係合保持部に係合された隔壁は、係合保持部の係止穴を介して挿通可能な部材（例えばボルト）を隔壁の所定の穴に挿通保持させるだけで、係合保持部と隔壁を一体化することができる。
【００６９】
請求項３の発明によれば、ターミナル治具の座面に係止穴を有しているので、グランド上に敷設された底ネット体の所望位置にワイヤーを使用して選択的に確実に固定することができる。
【００７０】
特に、ターミナル治具がグランド上の底ネット体と一体的に立設保持されるので、複数の隔壁が安定した状態で立設保持され、底ネット体とともに剛性を有するカゴ体を構成することができる。
【図面の簡単な説明】
【図１】（ａ）は本発明のターミナル治具を使用してグランド上に区画形成された複数の中詰め用カゴ体の斜視図、図１の（ｂ）はグランド上に区画形成された複数の中詰め用カゴ体内に自然石等の石が収納された状態の斜視図である。
【図２】本発明の第１実施形態としてのターミナル治具の斜視図である。
【図３】（ａ）は本発明の第１実施形態としてのターミナル治具の平面図、（ｂ）はターミナル治具と組合せてカゴ体の端部を構成する補助ターミナル治具の平面図である。
【図４】ターミナル治具の係合保持部に隔壁が上方から差し込まれる状態を示す部分斜視図である。
【図５】第２実施形態としてのターミナル治具の斜視図である。
【図６】ターミナル治具の係合保持部に隔壁が上方から差し込まれる状態を示す部分斜視図である。
【図７】本発明の第２実施形態としてのターミナル治具の平面図である。
【図８】（ａ）、（ｂ）はターミナル治具と組合せてカゴ体の端部を構成する勝手違いの補助ターミナル治具の平面図である。
【符号の説明】
１              カゴ体集合体
１ａ            カゴ体
２              底ネット体
３              ターミナル治具
４              補助ターミナル治具
５ａ、５ｂ      隔壁
５ｃ            膨出部
５ｄ            係止穴
６ａ、６ｂ      隔壁
７              石材（中詰め材）
８              係合保持部
８ａ、８ｂ      側板
９              ボルト
１０ａ          係止部
１０ｂ          係止部
１１            係止穴
１２            座面
１３            係止穴（係止部）
１４            ワイヤー
１５            座面
１６            係合保持部
１６ａ、１６ｂ  側板
１７            ターミナル治具
１８            係合保持部
１８ａ、１８ｂ  側板
２０、２１、２２隔壁
２３            補助ターミナル治具
２４            係合保持部
２４ａ          係合保持部
２４ｂ          係合保持部
２８            補助ターミナル治具
Ｈ              挿通穴
【図１】
0004059595.tif 000002
【図２】
0004059595.tif 000003
【図３】
0004059595.tif 000004
【図４】
0004059595.tif 000005
【図５】
0004059595.tif 000006
【図６】
0004059595.tif 000007
【図７】
0004059595.tif 000008
【図８】
0004059595.tif 000009